(57)【特許請求の範囲】
【請求項１】
第１充電池から電力が供給されて稼働すると共に、照射された放射線により現される放射線画像を記録する可搬型放射線撮影装置と、
前記第１充電池に対して同一形状及び同一特性の第２充電池から電力が供給されて稼働すると共に、前記可搬型放射線撮影装置に放射線を照射する可搬型Ｘ線源と、
を備える可搬型放射線撮影装置システム。
【請求項２】
前記可搬型放射線撮影装置には、前記第１充電池が着脱自在に取り付けられる第１取付部が設けられ、
前記可搬型Ｘ線源には、前記第２充電池が着脱自在に取り付けられる第２取付部が設けられ、
前記第１取付部の個数及び前記第２取付部の個数は、放射線画像を記録する際の単位枚数当りの前記可搬型放射線撮影装置及び前記可搬型Ｘ線源の消費電力に基づいて決められる請求項１に記載の可搬型放射線撮影装置システム。
【請求項３】
前記第１充電池及び前記第２充電池は、前記第１取付部及び前記第２取付部に取り付けられた状態で、前記可搬型放射線撮影装置及び前記可搬型Ｘ線源の把手となる請求項２に記載の可搬型放射線撮影装置システム。
【請求項４】
前記第１充電池及び前記第２充電池の少なくとも一方を収納すると共に、収納された前記第１充電池又は前記第２充電池の電力を前記可搬型放射線撮影装置又は前記可搬型Ｘ線源に供給する電気ケーブルを備えた収納器が設けられる請求項１に記載の可搬型放射線撮影装置システム。
【請求項５】
前記収納器には、前記収納器に収納された前記第１充電池又は前記第２充電池を外部からの電力で充電可能とする充電ケーブルが設けられる請求項４に記載の可搬型放射線撮影装置システム。
【発明の詳細な説明】
【技術分野】
【０００１】
本発明は、可搬型放射線撮影装置と可搬型Ｘ線源とを備える可搬型放射線撮影装置システムに関する。
【背景技術】
【０００２】
特許文献１には、可搬型放射線撮影装置（Ｘ線検出器）が記載されている。そして、この可搬型放射線撮影装置は、可搬型放射線撮影装置に対して着脱自在に設けられた充電池（バッテリ）からの電力によって稼働するようになっている。    
【先行技術文献】
【特許文献】
【０００３】
【特許文献１】特開２００１−２２４５７９号公報
【発明の概要】
【発明が解決しようとする課題】
【０００４】
しかし、従来の技術では、可搬型放射線撮影装置に放射線を照射する可搬型Ｘ線源に電力を供給する手段については記載されていない。仮に、可搬型Ｘ線源についても充電池で稼働させる構成にした際に、可搬型放射線撮影装置及び可搬型Ｘ線源を個人宅訪問又は介護施設訪問等のために持ち出して使用する場合がある。この場合には、充電池トラブルを考慮して、可搬型放射線撮影装置のための予備の充電池と可搬型Ｘ線源を稼働させるための予備の充電池とを２種類用意しなければならない。
【０００５】
本発明の課題は、予備の充電池の種類を減らすことである。
【課題を解決するための手段】
【０００６】
本発明の請求項１に係る可搬型放射線撮影装置システムは、第１充電池から電力が供給されて稼働すると共に、照射された放射線により現される放射線画像を記録する可搬型放射線撮影装置と、前記第１充電池に対して同一形状及び同一特性の第２充電池から電力が供給されて稼働すると共に、前記可搬型放射線撮影装置に放射線を照射する可搬型Ｘ線源と、を備えることを特徴とする。
【０００７】
上記構成によれば、第１充電池から電力を供給されて可搬型放射線撮影装置は、照射された放射線により現される放射線画像を記録する。また、第１充電池に対して同一形状及び同一特性の第２充電池から電力を供給されて可搬型Ｘ線源は、可搬型放射線撮影装置に放射線を照射する。ここで、第１充電池と第２充電池とは、同一形状及び同一特性であるため、互換性を有している。
【０００８】
例えば、個人宅訪問又は介護施設訪問で撮影をするために可搬型放射線撮影装置及び可搬型Ｘ線源を訪問先に持ち出す場合には、充電池トラブルを考慮して、予備の充電池を持って行く必要がある。
【０００９】
前述したように、第１充電池と第２充電池とは互換性を有しているため、第１充電池又は第２充電池のうちどちらか一方を予備として持ち出すことで、トラブルが発生した時に対応することができる。このように、第１充電池と第２充電池に互換性を持たせることで、予備の充電池の種類を減らすことができる。
【００１０】
本発明の請求項２に係る可搬型放射線撮影装置システムは、請求項１に記載において、前記可搬型放射線撮影装置には、前記第１充電池が着脱自在に取り付けられる第１取付部が設けられ、前記可搬型Ｘ線源には、前記第２充電池が着脱自在に取り付けられる第２取付部が設けられ、前記第１取付部の個数及び前記第２取付部の個数は、放射線画像を記録する際の単位枚数当りの前記可搬型放射線撮影装置及び前記可搬型Ｘ線源の消費電力に基づいて決められることを特徴とする。
【００１１】
上記構成によれば、第１充電池が着脱自在に取り付けられる第１取付部の個数と、第２充電池が着脱自在に取り付けられる第２取付部の個数とは、放射線画像を記録する際の単位枚数当りの可搬型放射線撮影装置及び可搬型Ｘ線源の消費電力に基づいて決められている。
【００１２】
これにより、撮影時の第１充電池及び第２充電池の充電量の消費率がほぼ同一となり、無駄なく第１充電池及び第２充電池の電力を消費することができる。
【００１３】
本発明の請求項３に係る可搬型放射線撮影装置システムは、請求項２に記載において、前記第１充電池及び前記第２充電池は、前記第１取付部及び前記第２取付部に取り付けられた状態で、前記可搬型放射線撮影装置及び前記可搬型Ｘ線源の把手となることを特徴とする。
【００１４】
上記構成によれば、第１充電池及び第２充電池は、第１取付部及び第２取付部に取り付けられた状態で、可搬型放射線撮影装置及び可搬型Ｘ線源の把手となる。
【００１５】
これにより、可搬型放射線撮影装置及び可搬型Ｘ線源を持ち運ぶ際には、第１取付部及び第２取付部に取り付けられた第１充電池及び第２充電池を把持して、可搬型放射線撮影装置及び可搬型Ｘ線源を持ち運ぶことができる。
【００１６】
本発明の請求項４に係る可搬型放射線撮影装置システムは、請求項１に記載において、前記第１充電池及び前記第２充電池の少なくとも一方を収納すると共に、収納された前記第１充電池又は前記第２充電池の電力を前記可搬型放射線撮影装置又は前記可搬型Ｘ線源に供給する電気ケーブルを備えた収納器が設けられることを特徴とする。
【００１７】
上記構成によれば、可搬型放射線撮影装置又は可搬型Ｘ線源を電気ケーブルを介して収納器に接続する。これにより、可搬型放射線撮影装置又は可搬型Ｘ線源は、収納器に収納された第１電池又は第２充電池の電力が供給されて稼働する。
【００１８】
このように、可搬型放射線撮影装置及び可搬型Ｘ線源を、同一の充電池（第１充電池又は第２充電池）から電力を供給して稼働させることができる。
【００１９】
本発明の請求項５に係る可搬型放射線撮影装置システムは、請求項４に記載において、前記収納器には、前記収納器に収納された前記第１充電池又は前記第２充電池を外部からの電力で充電可能とする充電ケーブルが設けられることを特徴とする。
【００２０】
上記構成によれば、収納器に設けられた充電ケーブルを例えばコンセントに接続することで、収納器に収納された第１充電池又は第２充電池が充電される。
【００２１】
このように、簡易な方法で、第１充電池及び第２充電池を充電することができる。
【発明の効果】
【００２２】
本発明によれば、予備の充電池の種類を減らすことができる。
【図面の簡単な説明】
【００２３】
【図１】（Ａ）（Ｂ）本発明の第１実施形態に係る可搬型放射線撮影装置システムに備えられた可搬型放射線撮影装置及び可搬型Ｘ線源を示した構成図である。
【図２】本発明の第１実施形態に係る可搬型放射線撮影装置システムを示した斜視図である。
【図３】本発明の第１実施形態に係る可搬型放射線撮影装置システムに備えられた可搬型放射線撮影装置を示した斜視図である。
【図４】本発明の第１実施形態に係る可搬型放射線撮影装置システムに備えられた可搬型Ｘ線源を示した斜視図である。
【図５】本発明の第１実施形態に係る可搬型放射線撮影装置システムに備えられた可搬型放射線撮影装置を示した回路図である。
【図６】本発明の第１実施形態に係る可搬型放射線撮影装置システムに備えられた可搬型放射線撮影装置を示した断面図である。
【図７】本発明の第１実施形態に係る可搬型放射線撮影装置システムに備えられた可搬型放射線撮影装置を示した平面図である。
【図８】（Ａ）（Ｂ）本発明の第２実施形態に係る可搬型放射線撮影装置システムに備えられた可搬型放射線撮影装置及び可搬型Ｘ線源を示した構成図である。
【図９】本発明の第２実施形態に係る可搬型放射線撮影装置システムを示した斜視図である。
【図１０】本発明の第１実施形態に係る可搬型放射線撮影装置システムに備えられた可搬型放射線撮影装置を示した斜視図である。
【図１１】本発明の第３実施形態に係る可搬型放射線撮影装置システムに備えられた可搬型Ｘ線源を示した斜視図である。
【発明を実施するための形態】
【００２４】
本発明の第１実施形態に係る可搬型放射線撮影装置システム６４の一例について図１〜図７に従って説明する。なお、図中の矢印ＵＰは、鉛直方向上方を示す。
【００２５】
（全体構成）
図５に示されるように、可搬型放射線撮影装置システム６４（図１（Ｂ)参照）に設けられた可搬型放射線撮影装置１０（所謂電子カセッテ）の筐体１８の内部には、放射線撮像素子１２が設けられている。この放射線撮像素子１２は、上部電極と半導体層と下部電極を備え、放射線撮像素子１２には、光を受けて電荷を蓄積するセンサ部１４と、センサ部１４に蓄積された電荷を読み出すためのＴＦＴスイッチ１６と、を含んで構成される画素２０が２次元状に多数設けられている。
【００２６】
また、放射線撮像素子１２には、前述したＴＦＴスイッチ１６をＯＮ／ＯＦＦするための複数の走査配線２２と、センサ部１４に蓄積された電荷を読み出すための複数の信号配線２４と、が互いに交差して設けられている。
【００２７】
本実施形態に係る放射線撮像素子１２は、表面にＧＯＳ又はＣｓＩ等からなるシンチレータ３０（図６及び図７参照）が貼り付けられている。シンチレータ３０は、発生した光の外部への漏れだしを防止するため、貼り付けられた放射線撮像素子１２に対する反対側の面に発生した光を遮光する遮光体３０Ａ（図６参照）を有している。
【００２８】
放射線撮像素子１２では、照射されたＸ線などの放射線はシンチレータ３０で光に変換され、センサ部１４に照射される。センサ部１４は、シンチレータ３０から照射された光を受けて電荷を蓄積するようになっている。
【００２９】
そして、各信号配線２４には、信号配線２４に接続された何れかのＴＦＴスイッチ１６がＯＮされることによりセンサ部１４に蓄積された電荷量に応じて放射線画像を示す電気信号（画像信号）が流れるようになっている。
【００３０】
また、放射線撮像素子１２の信号配線方向の一端側には、結線用のコネクタ３２が複数個並んで設けられ、走査配線方向の一端側には、コネクタ３４が複数個並んで設けられている。そして、各信号配線２４はコネクタ３２に接続され、各走査配線２２はコネクタ３４に接続されている。
【００３１】
さらに、本実施の形態では、放射線撮像素子１２による放射線検出の制御、及び各信号配線２４に流れる電気信号に対する信号処理の制御を行う制御部３６が設けられ、制御部３６は、信号検出回路４２と、スキャン信号制御回路４０と、を備えている。
【００３２】
また、信号検出回路４２には、複数個のコネクタ４６が設けられており、このコネクタ４６には、フレキシブルケーブル４４の一端が電気的に接続されている。さらに、このフレキシブルケーブル４４の他端は、コネクタ３２に接続されており、信号配線２４毎に、入力される電気信号を増幅する増幅回路を内蔵している。この構成により、信号検出回路４２は、各信号配線２４より入力される電気信号を増幅回路により増幅して検出することで、画像を構成する各画素２０の情報として、各センサ部１４に蓄積された電荷量を検出するようになっている。
【００３３】
一方、スキャン信号制御回路４０には、コネクタ４８が設けられており、このコネクタ４８には、フレキシブルケーブル５２の一端が電気的に接続されている。さらに、このフレキシブルケーブル５２の他端は、コネクタ３４に接続されており、スキャン信号制御回路４０は各走査配線２２にＴＦＴスイッチ１６をＯＮ／ＯＦＦするための制御信号を出力するようになっている。
【００３４】
また、図６に示されるように、本実施の形態に係る可搬型放射線撮影装置１０は、照射された放射線により表わされる放射線画像を撮影する撮影部６０を有している。この撮影部６０は、平板状に形成された支持基板６２の一方の面に放射線撮像素子１２が配置され（図５参照）、支持基板６２の他方の面に放射線撮像素子１２に対応する信号検出回路４２及びスキャン信号制御回路４０が配置されている。
【００３５】
さらに、図３に示されるように、可搬型放射線撮影装置１０には、可搬型放射線撮影装置１０を稼働させる第１充電池としての稼働用充電池５４が設けられており、この稼働用充電池５４は、可搬型放射線撮影装置１０の側面に設けられた第１取付部としての収納部５６に着脱自在とされている。
【００３６】
これに対し、図４に示されるように、可搬型放射線撮影装置１０に放射線を照射する可搬型Ｘ線源７０には、Ｘ線を照射する照射窓７２と、可搬型Ｘ線源７０のコリメータを調整する調整ダイヤル７４と、可搬型Ｘ線源７０を持ち運ぶときに把持する把持部７６とが設けられている。
【００３７】
さらに、可搬型Ｘ線源７０には、可搬型Ｘ線源７０を稼働させる第２充電池としての稼働用充電池５８が２個設けられている。そして、可搬型Ｘ線源７０の側面には、この稼働用充電池５８を収納する第２取付部としての収納部６８が２個設けられており、稼働用充電池５８は、収納部６８に対して着脱自在とされている。なお、稼働用充電池５４、５８、及び稼働用充電池５４、５８の充電方法については詳細を後述する。
【００３８】
次ぎに、本実施形態に係る可搬型放射線撮影装置１０及び可搬型Ｘ線源７０の動作について説明する。
【００３９】
図２に示されるように、可搬型放射線撮影装置１０及び可搬型Ｘ線源７０は、後述する自動車９０（図１（Ａ）参照）に載せて個人宅や介護施設に持ち運ばれる。そして、この可搬型放射線撮影装置１０は、放射線画像の撮影時において、放射線を発生させる可搬型Ｘ線源７０と間隔を空けて配置される。詳細には、可搬型Ｘ線源７０の把持部７６を、個人宅又は介護施設にて簡易に組み立てられたアングル７８の引掛け部８０に引っ掛けることで、可搬型放射線撮影装置１０と可搬型Ｘ線源７０とは垂直方向に間隔を空けて配置される。
【００４０】
また、このときの可搬型Ｘ線源７０と可搬型放射線撮影装置１０との間は、被写体８２が位置するための撮影位置とされており、放射線画像の撮影が指示されると、可搬型Ｘ線源７０は予め与えられた撮影条件等に応じた放射線量の放射線を射出する。そして、可搬型Ｘ線源７０から射出された放射線は、撮影位置に位置している被写体８２を透過することで画像情報を担持した後に可搬型放射線撮影装置１０に照射される。
【００４１】
図６に示されるように、放射線撮像素子１２では、照射されたＸ線などの放射線はシンチレータ３０で光に変換され、センサ部１４（図５参照）に照射される。センサ部１４は、シンチレータ３０から照射された光を受けて電荷を蓄積する。
【００４２】
図５に示されるように、画像読出時には、スキャン信号制御回路４０から放射線撮像素子１２のＴＦＴスイッチ１６のゲート電極に走査配線２２を介して順次ＯＮ信号（＋１０〜２０Ｖ）が印加される。これにより、放射線撮像素子１２のＴＦＴスイッチ１６が順次ＯＮされることによりセンサ部１４に蓄積された電荷量に応じた電気信号が信号配線２４に流れ出す。信号検出回路４２は、放射線撮像素子１２の信号配線２４に流れ出した電気信号に基づいて各センサ部１４に蓄積された電荷量を、画像を構成する各画素２０の情報として検出する。これにより、放射線撮像素子１２に照射された放射線により示される画像を示す画像情報を得る。
【００４３】
（要部構成）
次ぎに、稼働用充電池５４、５８、及び稼働用充電池５４、５８の充電方法について説明する。
【００４４】
稼働用充電池５４は、稼働用充電池５８に対して同一形状及び同一特性とされており、稼働用充電池５４と稼働用充電池５８とは互換性を有している。
【００４５】
また、前述したように、図３に示されるように、可搬型放射線撮影装置１０には、稼働用充電池５４を収納する収納部５６が１個設けられている。これに対して、図４に示されるように、可搬型Ｘ線源７０には、稼働用充電池５８を収納する収納部６８が２個設けられている。
【００４６】
ここで、収納部５６及び収納部６８の個数は、放射線画像を記録する際の単位枚数当りの消費電力に基づいて決められる。詳細には、可搬型放射線撮影装置１０及び可搬型Ｘ線源７０の設計時に、放射線画像を記録する際の単位枚数当りの消費電力を、それぞれについて計測し、以下の数式に当てはまるように収納部５６、６８の個数を求め、収納部５６、６８を設ける。なお、単位枚数当りの消費電力とは、予め決められた枚数（例えば１枚）当りの消費電力であって、その枚数の画像を記録する際に消費される電力である。
【００４７】
（可搬型放射線撮影装置１０の単位枚数当りの消費電力）／（可搬型Ｘ線源７０の単位枚数当りの消費電力）＝（収納部５６の個数）／（収納部６８の個数）
なお、可搬型放射線撮影装置１０及び可搬型Ｘ線源７０の単位枚数当りの消費電力の個体差を考慮し、複数の個体について消費電力を計測し、それら複数の計測値から、適宜、代表値を選ぶものとする。例えば、代表値とされる消費電力としては、以下の値から適宜選択することができる。
１．最大の消費電力にマージン（１０％程度）を上乗せした値（この値が稼働用充電池の電力切れ防止の観点で最も良いと考える）
２．最大の消費電力の値
３．３σ（σは標準偏差）
４．平均値
５．最頻値
一方、図１（Ａ）（Ｂ）に示されるように、稼働用充電池５４、５８を充電する充電用充電池９２が設けられており、この充電用充電池９２は、自動車９０に搭載されている。そして、自動車９０は、ガソリンを燃料として走行するガソリン車であって、充電用充電池９２は、この自動車９０の電気部品（例えばヘッドライト）に電力を供給する電力源とされている。
【００４８】
詳細には、自動車９０には、充電用充電池９２によって稼働用充電池５４、５８を充電可能とする充電回路９４が設けられている。そして、例えば、個人宅訪問又は介護施設訪問等で可搬型放射線撮影装置１０及び可搬型Ｘ線源７０を使用する際に、移動の自動車９０の中で稼働用充電池５４、５８が、充電回路９４を介して充電用充電池９２によって充電されるようになっている。
【００４９】
また、充電用充電池９２の容量は、稼働用充電池５４、５８の容量より大きくされている。さらに、充電用充電池９２は、稼働用充電池５４、５８に比べて自己放電率が小さくされている。つまり、充電用充電池９２は、稼働用充電池５４、５８に比べて放電し難いようになっている。
【００５０】
なお、自己放電率の算出方法及び測定方法を下記に示す。
【００５１】
電池の自己放電率［％］＝（初期放電容量−保存後放電容量）／初期放電容量×１００
＜測定方法＞
・第一段階：単電池又は組電池を周囲温度２０±５℃で製造業者が指定する方法で充電する。
・第二段階：単電池又は組電池を周囲温度２０±５℃で、電池電圧が規定する放電終止電圧になるまで０．２Ｉｔ［Ａ］の定電流で放電する。この際の放電量を初期放電容量とする。ここで、Ｉｔ［Ａ］：単電池又は組電池の１時間率の電流である。
・第三段階：単電池又は組電池を周囲温度２０±５℃で製造業者が指定する方法で充電する。
・第四段階：単電池又は組電池を周囲温度２０±５℃で２８日間放置する。
・第五段階：単電池又は組電池を周囲温度２０±５℃で、電池電圧が規定する放電終止電圧になるまで０．２Ｉｔ［Ａ］の定電流で放電する。この際の放電量を保存後放電容量とする。
【００５２】
（作用・効果）
次ぎに、可搬型放射線撮影装置システム６４の作用・効果について説明する。
【００５３】
図１に示されるように、個人宅訪問又は介護施設訪問等での撮影により、訪問先に持ち出して可搬型放射線撮影装置１０及び可搬型Ｘ線源７０を使用する場合には、可搬型放射線撮影装置１０及び可搬型Ｘ線源７０を移動用の自動車９０に積み込む。
【００５４】
自動車９０に積み込まれた可搬型放射線撮影装置１０若しくは可搬型Ｘ線源７０に収納された稼働用充電池５４、５８の充電量が少ない場合、又は、訪問箇所が複数箇所あり、充電池５４、５８の充電量が途中で少なくなった場合には、自動車９０に搭載された充電用充電池９２を用いて稼働用充電池５４、５８を移動中に充電する。
【００５５】
ここで、個人宅訪問又は介護施設訪問で撮影するために可搬型放射線撮影装置１０及び可搬型Ｘ線源７０を訪問先に持ち出す場合には、充電池トラブルを考慮して、予備の充電池を持って行く必要がある。
【００５６】
前述したように、稼働用充電池５４と稼働用充電池５８とは、互換性を備えている。このため、稼働用充電池５４又は稼働用充電池５８のうちどちらか一方を持ち出すことで、トラブルが発生した時に対応することができる。このように、予備の充電池の種類を減らすことができる。
【００５７】
また、稼働用充電池５４が収納される収納部５６の個数と、稼働用充電池５８が収納される収納部６８の個数とは、放射線画像を記録する際の単位枚数当りの可搬型放射線撮影装置１０及び可搬型Ｘ線源７０の消費電力に基づいて決められている。これにより、撮影時の稼働用充電池５４及び稼働用充電池５８の充電量の消費率がほぼ同一となり、無駄なく稼働用充電池５４及び稼働用充電池５８の電力を消費することができる。
【００５８】
また、稼働用充電池５４、５８は、可搬型放射線撮影装置１０及び可搬型Ｘ線源７０に着脱自在とされている。充電用充電池９２からの充電ができないようなトラブルが発生した場合には、可搬型放射線撮影装置１０及び可搬型Ｘ線源７０に装着されている稼働用充電池５４、５８を予備の稼働用充電池５４，５８と交換することで、可搬型放射線撮影装置１０及び可搬型Ｘ線源７０を稼働させることができる。
【００５９】
なお、本発明を特定の実施形態について詳細に説明したが、本発明は係る実施形態に限定されるものではなく、本発明の範囲内にて他の種々の実施形態が可能であることは当業者にとって明らかである。例えば、上記実施形態では、特に言及しなかったが、可搬型放射線撮影装置１０及び可搬型Ｘ線源７０を用いて被写体８２を撮影する際には、可搬型放射線撮影装置１０及び可搬型Ｘ線源７０を制御するノート型等のパーソナルコンピュータを用いてもよい。そして、このパーソナルコンピュータを稼働用充電池５４、５８で稼働させてもよい。
【００６０】
また、上記実施形態では、ガソリンを燃料として走行する自動車９０（ガソリン車）に用いられる充電用充電池９２を用いて説明したが、特にこれに限定されることなくディーゼル車、ハイブリッド、電気自動車等に用いる充電池を充電用充電池として用いてもよい。
【００６１】
次ぎに、本発明の第２実施形態に係る可搬型放射線撮影装置システム１００の一例について図８、図９に従って説明する。なお、第１実施形態と同一部材については、同一符号を付してその説明を省略する。
【００６２】
図８（Ａ）（Ｂ）に示されるように、可搬型放射線撮影装置１０及び可搬型Ｘ線源７０を稼働させる稼働用充電池１０２は、直接、充電用充電池９２から充電回路９４を介して充電されるようになっている。
【００６３】
さらに、図９に示されるように、稼働用充電池１０２を収納する収納器１０４が設けられている。そして、訪問先で、可搬型放射線撮影装置１０及び可搬型Ｘ線源７０に電力を供給する場合には、稼働用充電池１０２を収納器１０４に収納する。さらに、収納器１０４に設けられた電気ケーブル１０６、１０８を、可搬型放射線撮影装置１０及び可搬型Ｘ線源７０から延出された電気ケーブル１１０、１１２と接続する。これにより、稼働用充電池１０２が、収納器１０４を介して可搬型放射線撮影装置１０及び可搬型Ｘ線源７０へ電力を供給するようになっている。
【００６４】
また、収納器１０４には、充電ケーブルとしての電源ケーブル１１４が設けられており、この電源ケーブル１１４を電力供給可能なコンセント（例えば壁コンセント）に接続することで、収納器１０４に設けられた充電回路（図示省略）を介して収納器１０４に収納された稼働用充電池１０２が充電されるようになっている。
【００６５】
つまり、稼働用充電池１０２は、訪問先への移動中には、充電用充電池９２から充電可能とされ、訪問先では、収納器１０４に収納して電源ケーブル１１４をコンセントに差し込むことで充電可能とされている。
【００６６】
以上説明したように、可搬型放射線撮影装置１０及び可搬型Ｘ線源７０を、同一の充電池（稼働用充電池１０２）から電力を供給して稼働させることができる。
【００６７】
また、収納器１０４に設けられた電源ケーブル１１４を例えばコンセントに接続することで、収納器１０４に収納された稼働用充電池１０２が充電される。このように、簡易な方法で、稼働用充電池１０２を充電することができる。
【００６８】
次ぎに、本発明の第３実施形態に係る可搬型放射線撮影装置システム１２０の一例について図１０、図１１に従って説明する。なお、第１実施形態と同一部材については、同一符号を付してその説明を省略する。
【００６９】
図１０に示されるように、第１実施形態とは違い、可搬型放射線撮影装置１０に取り付けられる稼働用充電池１２２は、コ字形状とされている。そして、可搬型放射線撮影装置１０の側面には、稼働用充電池１２２が取り付けられる第１取付部１２４が設けられている。
【００７０】
また、稼働用充電池１２２を第１取付部１２４に取り付けると図示せぬロック機構が作動し、稼働用充電池１２２が第１取付部１２４に固定される。この状態で、稼働用充電池１２２は、把持可能とされ、稼働用充電池１２２を把持することで可搬型放射線撮影装置１０を持ち運ぶことができるようになっている。なお、稼働用充電池１２２を第１取付部１２４から取り外すときは、図示せぬ解除装置を作動させることで稼働用充電池１２２が第１取付部１２４から取り外されるようになっている。
【００７１】
また、図１１に示されるように、可搬型Ｘ線源７０には、第１実施形態のような把持部は設けられていない。そして、可搬型Ｘ線源７０に取り付けられる２個の稼働用充電池１３０は稼働用充電池１２２（図１０参照）と同様にコ字形状とされており、可搬型Ｘ線源７０の上面には、稼働用充電池１３０が取り付けられる第２取付部１３２が設けられている。
【００７２】
さらに、稼働用充電池１３０を第２取付部１３２に取り付けると図示せぬロック機構が作動し、稼働用充電池１３０が第２取付部１３２に固定される。この状態で、稼働用充電池１３０は、把持可能とされ、稼働用充電池１３０を把持することで可搬型Ｘ線源７０を持ち運ぶことができるようになっている。なお、稼働用充電池１３０を第２取付部１３２から取り外すときは、図示せぬ解除装置を作動させることで稼働用充電池１３０が第２取付部１３２から取り外されるようになっている。
【００７３】
以上説明したように、稼働用充電池１２２及び稼働用充電池１３０を把持することで、可搬型放射線撮影装置１０及び可搬型Ｘ線源７０を持ち運ぶことができる。
【符号の説明】
【００７４】
１０        可搬型放射線撮影装置
５４        稼働用充電池（第１充電池）
５６        収納部（第１取付部）
５８        稼働用充電池（第２充電池）
６４        可搬型放射線撮影装置システム
６８        収納部（第２取付部）
７０        可搬型Ｘ線源
１００      可搬型放射線撮影装置システム
１０２      稼働用充電池（第１充電池、第２充電池）
１０４      収納器
１１０      電気ケーブル
１１２      電気ケーブル
１１４      電源ケーブル（充電ケーブル）
１２０      可搬型放射線撮影装置システム
１２２      稼働用充電池
１２４      第１取付部
１３０      稼働用充電池
１３２      第２取付部
【図１】
0005587035.tif 000002
【図２】
0005587035.tif 000003
【図３】
0005587035.tif 000004
【図４】
0005587035.tif 000005
【図５】
0005587035.tif 000006
【図６】
0005587035.tif 000007
【図７】
0005587035.tif 000008
【図８】
0005587035.tif 000009
【図９】
0005587035.tif 000010
【図１０】
0005587035.tif 000011
【図１１】
0005587035.tif 000012